(57)【要約】      （修正有）【課題】  見積対象となった建物の金額上の特徴や構造上の特徴を視覚的に見やすい状態で表示することにより、見積対象となった建物がどのような特徴を有しているのかを容易に把握できるようにする。【解決手段】建物の基本仕様、外部建具、内装、設備、建築概算価格などの各データを邸別に収集し格納した邸別データベースを記憶装置に記憶しており、コンピュータは、入力装置により、１つの邸が分析対象邸として選択され、その選択された分析対象邸に対し、複数の分析項目の中から任意の項目が選択されると、当該項目のデータを邸別データベースに格納されている全邸のデータから邸別に抽出し、抽出した邸別のデータをグラフ上にプロットすることにより、分析対象邸とその他の邸とで表示形態を異ならせて表示装置の画面に表示する。【選択図】  図８
2006039817.tif 000002
【特許請求の範囲】
【請求項１】
建物の基本仕様、外部建具、内装、設備、建築概算価格などの各データを邸別に収集し格納した邸別データベースを用いて邸別の建物プランの分析を行う建物プラン分析システムであって、
１つの邸を分析対象邸として選択する選択手段と、
選択された分析対象邸に対し、複数の分析項目の中から任意の項目が選択されることにより、当該項目のデータを前記邸別データベースに格納されている全邸のデータから邸別に抽出する抽出手段と、
抽出した邸別のデータをグラフ上にプロットすることにより、分析対象邸とその他の邸とで表示形態を異ならせて表示する表示手段と、を備えたことを特徴とする建物プラン分析システム。
【請求項２】
前記他の邸には、予め用意されている建物の標準プランのデータも含まれていることを特徴とする請求項１に記載の建物プラン分析システム。
【請求項３】
前記分析項目が、外周長、出隅数、屋根面積、ルーフバルコニー面積、サッシ金額、収納面積、間仕切長の少なくとも１つ以上であることを特徴とする請求項１または請求項２に記載の建物プラン分析システム。
【請求項４】
前記分析項目の分析結果が床面積に対する比率で表示されることを特徴とする請求項３に記載の建物プラン分析システム。
【請求項５】
建物の基本仕様、外部建具、内装、設備、建築概算価格などの各データを邸別に収集し格納した邸別データベースを用いて邸別の建物プランの分析を行う建物プラン分析システムであって、
１つの邸を分析対象邸として選択する選択手段と、
選択された分析対象邸に対し、複数の工事項目の中から任意の項目が選択されることにより、当該項目のデータを前記邸別データベースに格納されている分析対象邸のデータから抽出する抽出手段と、
抽出した分析対象邸のデータを工事種別に分割して図形表示する表示手段と、を備えたことを特徴とする建物プラン分析システム。
【請求項６】
前記工事種別が工事金額のバランスであることを特徴とする請求項５に記載の建物プラン分析システム。
【請求項７】
前記図形表示が円グラフであることを特徴とする請求項５に記載の建物プラン分析システム。
【請求項８】
建物の基本仕様、外部建具、内装、設備、建築概算価格などの各データを邸別に収集し格納した邸別データベースを用いて邸別の建物プランの分析を行う建物プラン分析方法であって、
選択手段により１つの邸を分析対象邸として選択する選択ステップと、
選択された分析対象邸に対し、表示手段に表示された複数の分析項目の中から任意の項目が選択されることにより、当該項目のデータを前記邸別データベースに格納されている全邸のデータから邸別に抽出する抽出ステップと、
抽出した邸別のデータをグラフ上にプロットすることにより、分析対象邸とその他の邸とで表示形態を異ならせて表示手段に表示する表示ステップと、を備えたことを特徴とする建物プラン分析方法。
【請求項９】
建物の基本仕様、外部建具、内装、設備、建築概算価格などの各データを邸別に収集し格納した邸別データベースを用いて邸別の建物プランの分析を行う建物プラン分析方法であって、
選択手段により１つの邸を分析対象邸として選択する選択ステップと、
選択された分析対象邸に対し、複数の工事項目の中から任意の項目が選択されることにより、当該項目のデータを前記邸別データベースに格納されている分析対象邸のデータから抽出する抽出ステップと、
抽出した分析対象邸のデータを工事種別に分割して図形表示する表示ステップと、を備えたことを特徴とする建物プラン分析方法。
【発明の詳細な説明】
【技術分野】
【０００１】
本発明は、建物の基本仕様、外部建具、内装、設備、建築概算価格などの各データを邸別に収集し格納した邸別データベースを用いて邸別の建物プランの分析を行う建物プラン分析システム及び建物プラン分析方法に関する。
【背景技術】
【０００２】
一般に、ＣＡＤ(Computer Aided Design) システムを用いて設計図面を作成することは従来から行われている。例えば、ＣＡＤシステムによって住宅の各部屋及び内装材等の形状データを作成しておけば、コンピュータの画面上に各部屋の内部を表示することも可能である。また、上記ＣＡＤシステムを用いれば、作成した設計図面に基づいて、上記住宅の建築費用を算出させることもできる。
【０００３】
このように、従来は、ＣＡＤシステム等で作成した設計図面に基づいて建築費用の見積を行うようにしているが、例えば、見積額がユーザの予算と合致しない場合、間取りの変更等により、設計図面を再度作成しなければならない煩雑さがあった。一方、ユーザの側にも、住宅の詳細な間取り等を決定しない段階で、気軽に建築費用の概略の見積を出してみたい要求もあるため、設計図面に依存しない、より簡易な見積方法の開発が要望されていた。
【０００４】
そこで、本出願人は、住宅等の建物の建築費用の見積を短時間で容易に行うことのできる建築費用見積方法をすでに提案している（例えば、特許文献１参照）。
【０００５】
この建築費用見積方法は、表示手段が、記憶手段に記憶された建築すべき建物の複数種の建物タイプを表示するステップと、選択手段により、表示された複数種の建物タイプの中から適宜の建物タイプが選択されるステップと、表示手段が、記憶手段に記憶された建物の複数の部屋の種類を表示するステップと、選択手段により、表示された複数の部屋の種類の中から建物の各階ごとに適宜の部屋の種類が順次選択されるステップと、入力手段により、選択された各部屋の種類ごとに部屋の大きさが入力されるステップと、算出手段が、選択された建物タイプ、選択された各部屋の種類、及び入力された各部屋の大きさに基づいて各部屋ごとの建築費用及び建物の建築費用を算出するステップと、表示手段が、
算出された各部屋ごとの建築費用及び建物の建築費用を表示するステップと、からなる。
【０００６】
このような建築費用見積方法により、例えば図１３に示すように、本体工事等の各項目毎の見積金額が一覧形式で表示される他、合計金額が領域ｒに、坪単価が領域ｓに各々表示されるようになっている。
【特許文献１】特許第３４０７６０２号公報
【発明の開示】
【発明が解決しようとする課題】
【０００７】
この方法によれば、住宅等の建物の建築費用の見積を短時間で容易に行うことができる。しかし、表示されるのは、図１３に示す一覧形式の見積金額だけであり、建築関係の素人である顧客にとっては、その見積金額が妥当なものであるのかどうか、全体の金額バランスが妥当であるのかどうか、標準プランや他人の邸宅と比べてどの部分に費用がかかっており、どの部分の費用が削減されているのか、といった具体的な建物の特徴が分からないといった問題が残されていた。例えば、図１３に示す見積もりでは、本体工事として一括して金額が表示されているが、例えば本体工事の打ち明け（具体的には、躯体工事、外部工事、内部工事、設備工事の金額バランス）が一目で分かるようになっていれば、素人の顧客にとっても本体工事の金額バランスを感覚的に把握することが可能となる。また、このような金額面だけでなく、建物の構造上の特徴、例えば床面積に対する収納面積比率が標準プランや他人の邸宅と比べて多いのか少ないのか、といったことが分かれば、実際に建物を設計するときの参考とすることができる。
【０００８】
本発明はかかる点に着目して創案されたもので、その目的は、見積対象となった建物の金額上の特徴や構造上の特徴を視覚的に見やすい状態で表示することにより、見積対象となった建物がどのような特徴を有しているのかを顧客が容易に把握できるとともに、営業担当者にとっても、その建物の特徴を把握して顧客に的確なアドバイスを提供することのできる建物プラン分析システム及び建物プラン分析方法を提供することにある。
【課題を解決するための手段】
【０００９】
上記目的を達成するため、本発明の建物プラン分析システムは、建物の基本仕様、外部建具、内装、設備、建築概算価格などの各データを邸別に収集し格納した邸別データベースを用いて邸別の建物プランの分析を行う建物プラン分析システムであって、１つの邸を分析対象邸として選択する選択手段と、選択された分析対象邸に対し、複数の分析項目の中から任意の項目が選択されることにより、当該項目のデータを前記邸別データベースに格納されている全邸のデータから邸別に抽出する抽出手段と、抽出した邸別のデータをグラフ上にプロットすることにより、分析対象邸とその他の邸とで表示形態を異ならせて表示する表示手段と、を備えたことを特徴とする。
【００１０】
このような特徴を有する本発明によれば、建築概算価格が算出された建物について、その全体の概算価格のみならず、項目別に他の建物との比較を視覚的に確認することができる。
【００１１】
この場合、前記他の邸には、予め用意されている建物の標準プランのデータも含まれている。従って、建築概算価格が算出された建物と、標準プランとの比較が行えるので、顧客の所望によりシミュレーションした建物が標準プランに対してどのような差があるのか、といったことも目視により確認することができる。
【００１２】
ここで、前記分析項目としては、外周長、出隅数、屋根面積、ルーフバルコニー面積、サッシ金額、収納面積、間仕切長の少なくとも１つ以上とし、これらの項目が、床面積に対する比率で邸別に表示されるようになっている。このように、建物の構造上の特徴を分析項目として設定することで、顧客の希望によりシミュレーションした建物の構造と、他の邸の建物の構造との比較を目視により確認することができる。例えば、床面積に対する外周長比率が他の邸の建物に比べて大きい場合には、顧客の希望によりシミュレーションした建物が全体として平面的にみて凹凸のある建物であることが分かる。また、床面積に対する収納面積の比率が他の邸の建物に比べて小さい場合には、顧客の希望によりシミュレーションした建物が他の邸の建物と比べて収納力の少ない建物であることが分かる。
【００１３】
また、本発明の建物プラン分析システムは、建物の基本仕様、外部建具、内装、設備、建築概算価格などの各データを邸別に収集し格納した邸別データベースを用いて邸別の建物プランの分析を行う建物プラン分析システムであって、１つの邸を分析対象邸として選択する選択手段と、選択された分析対象邸に対し、複数の工事項目の中から任意の項目が選択されることにより、当該項目のデータを前記邸別データベースに格納されている分析対象邸のデータから抽出する抽出手段と、抽出した分析対象邸のデータを工事種別に分割して図形表示する表示手段と、を備えたことを特徴とする。
【００１４】
ここで、前記工事種別としては、工事金額のバランスとする。また、前記図形表示としては、円グラフなどが好ましい。具体的には、建築概算価格の内訳を、躯体工事、外部工事、内部工事、設備工事のそれぞれの価格割合として、円グラフに表示する。これにより、顧客は、どの工事に一番費用がかかっているのか、また、どの工事を重視したのか、といった全体のバランスを目視により容易に把握することが可能となる。
【００１５】
また、本発明の建物プラン分析方法は、建物の基本仕様、外部建具、内装、設備、建築概算価格などの各データを邸別に収集し格納した邸別データベースを用いて邸別の建物プランの分析を行う建物プラン分析方法であって、選択手段により１つの邸を分析対象邸として選択する選択ステップと、選択された分析対象邸に対し、表示手段に表示された複数の分析項目の中から任意の項目が選択されることにより、当該項目のデータを前記邸別データベースに格納されている全邸のデータから邸別に抽出する抽出ステップと、抽出した邸別のデータをグラフ上にプロットすることにより、分析対象邸とその他の邸とで表示形態を異ならせて表示手段に表示する表示ステップと、を備えたことを特徴とする。
【００１６】
このような特徴を有する本発明によれば、建築概算価格が算出された建物について、その全体の概算価格のみならず、項目別に他の建物との比較を視覚的に確認することができる。
【００１７】
また、本発明の建物プラン分析方法は、建物の基本仕様、外部建具、内装、設備、建築概算価格などの各データを邸別に収集し格納した邸別データベースを用いて邸別の建物プランの分析を行う建物プラン分析方法であって、選択手段により１つの邸を分析対象邸として選択する選択ステップと、選択された分析対象邸に対し、複数の工事項目の中から任意の項目が選択されることにより、当該項目のデータを前記邸別データベースに格納されている分析対象邸のデータから抽出する抽出ステップと、抽出した分析対象邸のデータを工事種別に分割して図形表示する表示ステップと、を備えたことを特徴とする。
【００１８】
このような特徴を有する本発明によれば、例えば、建築概算価格の内訳を、躯体工事、外部工事、内部工事、設備工事のそれぞれの工事種別の価格割合として、例えば円グラフに表示する。これにより、顧客は、どの工事に一番費用がかかっているのか、また、どの工事を重視したのか、といった全体のバランスを目視により容易に把握することが可能となる。
【発明の効果】
【００１９】
本発明の建物プラン分析システム及び建物プラン分析方法によれば、建築概算価格が算出された建物について、その全体の概算価格のみならず、項目別に他の建物との比較を視覚的に確認することができる。この場合、他の邸には、予め用意されている建物の標準プランのデータも含まれているので、顧客の希望によりシミュレーションした建物が標準プランに対してどのような差があるのか、といったことも目視により確認することができる。また、外周長、出隅数、屋根面積、ルーフバルコニー面積、サッシ金額、収納面積、間仕切長といった、建物の構造上の特徴を分析項目として設定することで、顧客の希望によりシミュレーションした建物の構造と、他の邸の建物の構造との比較を目視により確認することができる。
【００２０】
また、本発明の建物プラン分析システム及び建物プラン分析方法によれば、工事項目として、躯体工事、外部工事、内部工事、設備工事のそれぞれについての価格割合を円グラフ等の図形によって表示することができるので、顧客は、どの工事に一番費用がかかっているのか、また、どの工事を重視したのか、といった全体のバランスを目視により容易に把握することが可能となる。
【発明を実施するための最良の形態】
【００２１】
以下、本発明の実施の形態について図面を参照して説明する。
【００２２】
＜実施形態１＞
図１は、本発明の建物プラン分析システムの実施形態１を示す機能ブロック図である。
本実施形態１の建物プラン分析システムは、システムとして独立した形態をとっている。
【００２３】
すなわち、建物の建築概算価格の計算や建物プランの分析を行う汎用のコンピュータ１を備えており、このコンピュータ１に、各種データの入力を行うマウスやキーボード等からなる入力装置２、ＣＲＴやＬＣＤ等の表示装置３、ＨＤ（ハードディスク）等の記憶装置４、プリンタ等の出力装置５が接続されている。
【００２４】
コンピュータ１は、中央演算処理装置であるＣＰＵと、記憶部であるＲＯＭ及びＲＡＭとを備えている。ＲＯＭには、システム全体の動作を制御する制御プログラムが格納されており、ユーザの所望する建物の建築費用見積もりの計算や、顧客の所望によりシミュレーションした建物のプラン分析（集計）処理など、各種の処理を実行する。ＲＡＭは、制御プログラムの実行時にはワークエリアとして働くメモリであり、制御プログラムを実行するために必要とするプログラムやデータを一時的に記憶する。
【００２５】
記憶装置４には、建築費用見積もりに必要なデータである、建物の基本仕様、外部建具仕様、内装仕様、設備仕様、各資材・部材の種類及び単価、工事単価などがファイル形式で格納されている。また、記憶装置４には、顧客の所望によりシミュレーションした建物の基本仕様、外部建具、内装、設備、建築概算価格などの各データを、邸別に収集し格納した邸別データベースも格納されている。
【００２６】
−建築概算価格の計算処理の説明−
上記構成の建物プラン分析システムにおいて、まず、顧客の所望によりシミュレーションされた建物の建築概算価格の計算処理について簡単に説明する。この計算処理の基本的なところは、本出願人がすでに提案している特許第３４０７６０２号に詳細に説明されているので、ここでは簡単に説明する。
【００２７】
まず、記憶装置４に格納された建築すべき建物の複数種の建物タイプを表示装置３に表示する。ユーザ（例えば、営業担当者等）が、入力装置２により、表示された複数種の建物タイプの中から適宜の建物タイプを選択すると、表示装置３には、記憶装置４に記憶された建物の複数の部屋の種類が表示される。営業担当者は、入力装置２により、表示された複数の部屋の種類の中から建物の各階ごとに適宜の部屋の種類を順次選択し、選択された各部屋の種類ごとに部屋の大きさを入力すると、コンピュータ１は、選択された建物タイプ、選択された各部屋の種類、及び入力された各部屋の大きさに基づいて建物の建築費用を算出し、表示装置３に、算出した建物の建築費用を表示する。その表示結果の一例が図１３に示されており、本体工事等の各項目毎の見積金額が一覧形式で表示されている。コンピュータ１は、このようにして算出された建物概算価格及びシミュレーションされた建物の構造を含む全データを、記憶装置４の邸別データベースに格納する。
【００２８】
コンピュータ１は、このようにして種々の顧客の邸別に建築概算価格をシミュレーションし、その全データを、その都度、邸別データベースに蓄積している。これにより、邸別データベースには、全顧客の邸別に、建築概算価格を含むその建物の構造上の全データが蓄積されることになる。
【００２９】
−本発明に係わる建物プラン分析処理の説明−
建物プラン分析では、上記のようにして邸別に多数蓄積された建築概算価格を含むその建物の構造上のデータを利用する。
【００３０】
まず、入力装置２により、１つの邸を分析対象邸として選択する。ここでは、上記のシミュレーションにより建築概算価格が算出された建物を、建物プランの分析対象邸として選択する。
【００３１】
すると、表示装置３の画面には、図２に示すプラン分析画面１００が表示される。このプラン分析画面１００は、画面最上部に、選択可能な分析項目のタグが用意されている。この例では、「外周長比率」、「出隅数比率」、「屋根面積比率」、「ルーフバルコニー面積比率」、「サッシ金額比率」、「収納面積比率」、「間仕切長比率」の７項目が用意されている。営業担当者は、この中から分析プランを一つ選択することになる。ただし、この項目は一例であり、必要に応じて増減することが可能である。また、このタグの下は、分析結果を表示する表示画面１０１となっている。この表示画面１０１では、横軸に床面積が割り振られており、縦軸に、上記タグの中から選択された項目が割り振られるようになっている。また、この表示画面１０１の下は、分析対象邸である自物件の情報が表示されており、自物件の情報の右側には、コメント欄１０２が表示されている。このコメント欄１０２は、本システムを営業担当者が使用する場合には、営業担当者に対する販売促進のためのプレゼンテーション画面となり、営業担当者が顧客に見せながら使用する場合には、顧客に対するアドバイスを表示する画面となる。ここでは、営業担当者に対するプレゼンテーション画面として説明する。
【００３２】
ここで、営業担当者が例えば「外周長比率」を選択すると（具体的には、カーソルを「外周長比率」のところに移動してクリックすると）、コンピュータ１は、外周長に関するデータを、邸別データベースに格納されている全邸のデータから抽出し、その抽出した邸別のデータを表示画面１０１のグラフ上にプロットする。図３は、このときのプラン分析画面１００Ａを示している。すなわち、表示画面１０１Ａの縦軸には、外周長比率が割り振られており、この縦軸及び横軸の数値に一致する個所に、邸別データベースに格納されている全邸の、床面積に対する外周長比率がプロット（図３中、□で示している）されている。また、この表示画面１０１Ａには、邸別データベースに予め格納されている標準プラン（この例では、タイプ１とタイプ２の２種類）の床面積に対する外周長比率も棒状のグラフ１０１Ａ１，１０１Ａ２として重ねて表示されている。そして、このように全邸の床面積に対する外周長比率の全プロットと、標準プランの棒状グラフ１０１Ａ１，１０１Ａ２とが表示され画面上に、顧客の所望によりシュミレーションした建物の、床面積に対する外周長比率がプロット（図３中、◇で示している）１０１Ａ３されている。この例では、プラン分析対象の建物は、床面積が１２２ｍ2 であり、これに対する外周長比率が０．５７であり、他の邸及び標準プランとほぼ同じ比率であることが分かる。つまり、顧客の所望によりシミュレーションした建物は、外周の凹凸形状において、標準的な外観をしていることが分かる。
【００３３】
同様に、営業担当者が、図２に示す表示画面１００のタグから「出隅数比率」を選択すると、コンピュータ１は、出隅数比率に関するデータを、邸別データベースに格納されている全邸のデータから抽出し、その抽出した邸別のデータを表示画面１０１のグラフ上にプロットする。図４は、このときのプラン分析画面１００Ｂを示している。すなわち、表示画面１０１Ｂの縦軸には、出隅数比率が割り振られており、この縦軸及び横軸の数値に一致する個所に、邸別データベースに格納されている全邸の、床面積に対する出隅数比率がプロット（図４中、□で示している）されている。また、この表示画面１０１Ｂには、邸別データベースに予め格納されている標準プラン（この例では、タイプ１とタイプ２の２種類）の床面積に対する出隅数比率も棒状のグラフ１０１Ｂ１，１０１Ｂ２として重ねて表示されている。そして、このように全邸の床面積に対する出隅数比率の全プロットと、標準プランの棒状グラフ１０１Ｂ１，１０１Ｂ２とが表示された画面上に、顧客の所望によりシュミレーションした建物の、床面積に対する出隅数比率がプロット（図４中、◇で示している）１０１Ｂ３されている。このように、本実施形態１では、分析対象邸とその他の邸とでプロットする記号の表示形態を異ならせている。この例では、プラン分析対象の建物は、床面積が１２２ｍ2 であり、これに対する出隅数が１３個所であり、出隅比率が０．１１となっている。これは、他の邸及び標準プランとほぼ同じ比率であることが分かる。つまり、顧客の所望によりシミュレーションした建物は、外周の凹凸形状において、標準的な外観をしていることになる。
【００３４】
同様に、営業担当者が、図２に示す表示画面１００のタグから「サッシ金額比率」を選択すると、コンピュータ１は、サッシ金額比率に関するデータを、邸別データベースに格納されている全邸のデータから抽出し、その抽出した邸別のデータを表示画面１０１のグラフ上にプロットする。図５は、このときのプラン分析画面１００Ｃを示している。すなわち、表示画面１０１Ｃの縦軸には、サッシ金額比率が割り振られており、この縦軸及び横軸の数値に一致する個所に、邸別データベースに格納されている全邸の、床面積に対するサッキ金額比率がプロット（図５中、□で示している）されている。また、この表示画面１０１Ｃには、邸別データベースに予め格納されている標準プラン（この例では、タイプ１とタイプ２の２種類）の床面積に対するサッシ金額比率も棒状のグラフ１０１Ｃ１，１０１Ｃ２として重ねて表示されている。そして、このように全邸の床面積に対するサッシ金額比率の全プロットと、標準プランの棒状グラフ１０１Ｃ１，１０１Ｃ２とが表示された画面上に、顧客の所望によりシュミレーションした建物の、床面積に対するサッシ金額比率がプロット（図５中、◇で示している）１０１Ｃ３されている。この例では、プラン分析対象の建物は、床面積が１２２ｍ2 であり、これに対するサッシ金額が１，０４３，５００円であり、サッシ金額比率が８，５５３円となっている。これは、他の邸及び標準プランに比べて低い価格であることが分かる。
【００３５】
同様に、営業担当者が、図２に示す表示画面１００のタグから「収納面積比率」を選択すると、コンピュータ１は、収納面積比率に関するデータを、邸別データベースに格納されている全邸のデータから抽出し、その抽出した邸別のデータを表示画面１０１のグラフ上にプロットする。図６は、このときのプラン分析画面１００Ｃを示している。すなわち、表示画面１０１Ｄの縦軸には、収納面積比率が割り振られており、この縦軸及び横軸の数値に一致する個所に、邸別データベースに格納されている全邸の、床面積に対する収納面積比率がプロット（図６中、□で示している）されている。また、この表示画面１０１Ｄには、邸別データベースに予め格納されている標準プラン（この例では、タイプ１とタイプ２の２種類）の床面積に対するサッシ金額比率も棒状のグラフ１０１Ｄ１，１０１Ｄ２として重ねて表示されている。そして、このように全邸の床面積に対する収納面積比率の全プロットと、標準プランの棒状グラフ１０１Ｄ１，１０１Ｄ２とが表示された画面上に、顧客の所望によりシュミレーションした建物の、床面積に対する収納面積比率がプロット（図６中、◇で示している）１０１Ｄ３されている。この例では、プラン分析対象の建物は、床面積が１２２ｍ2 であり、これに対する収納面積が１８．６ｍ2 であり、収納面積比率が０．１６となっている。これは、他の邸及び標準プランに比べて多い収納力であることが分かる。すなわち、顧客は、収納力に重点を置いて建物をシュミレーションしたことが分かる。
【００３６】
なお、上記説明では、表示画面にプロットする形状を異ならせて区別しているが、これに異なる色を付けてさらに区別するようにしてもよい。例えば、図３に示すように、床面積に対する外周長比率のプロット（図３中、□で示している）を赤色で表示し、顧客の所望によりシュミレーションした建物の、床面積に対する外周長比率のプロット（図３中、◇で示している）を黄色で表示し、標準プランの棒状グラフを青色や緑色で表示することが可能である。このことは、図４〜図７においても同様である。
【００３７】
また、本実施形態１の建物プラン分析システムでは、上記のような建物の構造上のプラン分析のみならず、工事金額のバランス分析も行うことができる。以下、工事金額のバランス分析について説明する。
【００３８】
工事金額のバランス分析では、先に算出された建物概算価格の本体工事のデータ（図１３に示す本体工事の予算の欄に示された価格）に基づき、各工事金額のバランスが表示装置３に表示される。図７は、このときに表示されるバランス分析画面２００Ｅを示している。このバランス分析画面２００Ｅは、画面左側に、本体工事の内訳を、躯体工事、外部工事、内部工事、設備工事のそれぞれの価格割合（％）として、円グラフで表している。また、画面右側は、さらにその詳細を表示する画面となっている。
【００３９】
ここで、営業担当者が例えば「躯体工事」を選択すると（具体的には、カーソルを「躯体工事」のところに移動してクリックすると）、コンピュータ１は、躯体工事に関するデータを、邸別データベースに格納されている分析対象邸のデータから抽出し、その抽出したデータをバランス分析画面２００Ｅの右側に、同じく円グラフで表示する。図８は、このときのバランス分析画面２００Ｆを示している。すなわち、画面右側に、躯体工事の内訳を、躯体、基礎のそれぞれの価格割合（％）として、円グラフで表している。このように基礎と躯体の価格割合まで表示することで、顧客の希望によりシュミレーションした建物の構造をより詳細に知ることが可能となる。
【００４０】
同様に、営業担当者が例えば、図７に示すバランス分析画面２００Ｅの「外部工事」を選択すると（具体的には、カーソルを「外部工事」のところに移動してクリックすると）、コンピュータ１は、外部工事に関するデータを、邸別データベースに格納されている分析対象邸のデータから抽出し、その抽出したデータをバランス分析画面２００Ｅの右側に、同じく円グラフで表示する。図９は、このときのバランス分析画面２００Ｇを示している。すなわち、画面右側に、外部工事の内訳を、外部開口・附帯、外装外壁・附帯、屋根・附帯のそれぞれの価格割合（％）として、円グラフで表している。このように外部開口・附帯、外装外壁・附帯、屋根・附帯の価格割合まで表示することで、顧客の希望によりシュミレーションした建物の構造をより詳細に知ることが可能となる。
【００４１】
同様に、営業担当者が例えば、図７に示すバランス分析画面２００Ｅの「内部工事」を選択すると（具体的には、カーソルを「内部工事」のところに移動してクリックすると）、コンピュータ１は、内部工事に関するデータを、邸別データベースに格納されている分析対象邸のデータから抽出し、その抽出したデータをバランス分析画面２００Ｅの右側に、同じく円グラフで表示する。図１０は、このときのバランス分析画面２００Ｈを示している。すなわち、画面右側に、内部工事の内訳を、収納・造作・附帯、内部建具、内装仕上、断熱・内装下地のそれぞれの価格割合（％）として、円グラフで表している。このように収納・造作・附帯、内部建具、内装仕上、断熱・内装下地の価格割合まで表示することで、顧客の希望によりシュミレーションした建物の構造をより詳細に知ることが可能となる。
【００４２】
同様に、営業担当者が例えば、図７に示すバランス分析画面２００Ｅの「設備工事」を選択すると（具体的には、カーソルを「設備工事」のところに移動してクリックすると）、コンピュータ１は、設備工事に関するデータを、邸別データベースに格納されている分析対象邸のデータから抽出し、その抽出したデータをバランス分析画面２００Ｅの右側に、同じく円グラフで表示する。図１１は、このときのバランス分析画面２００Ｉを示している。すなわち、画面右側に、設備工事の内訳を、屋内給排水給湯設備、浴室設備、厨房設備、サニタリー設備、換気設備、情報設備、電気設備のそれぞれの価格割合（％）として、円グラフで表している。このように屋内給排水給湯設備、浴室設備、厨房設備、サニタリー設備、換気設備、情報設備、電気設備の価格割合まで表示することで、顧客の希望によりシュミレーションした建物の構造をより詳細に知ることが可能となる。
【００４３】
なお、上記工事金額のバランス分析では、円グラフ内に工事項目を文字表記しているが、これに加え、円グラフ内に異なる色を付けてより明確に区別するようにしてもよい。
【００４４】
＜実施形態２＞
上記実施形態１では、本発明の建物プラン分析システムを、例えば建築業者の各営業所に設置されているコンピュータ上に邸別データベースを備えたスタンドアローン型の構成として説明している。しかし、邸別データベースは、個々の顧客の邸別に建築概算価格をシミュレーションするたびに、その全データを格納する必要がある。そのため、各営業所に設置されているコンピュータでは、このような邸別データベースを定期的に更新し、管理することは困難である場合が多い。そこで、本実施形態２では、このような邸別データベースをネットワーク上に配置することで、各営業所のコンピュータがネットワークを通じて任意に利用することができる構成としたものである。
【００４５】
図１２は、本実施形態２の建物プラン分析システムの機能ブロック図である。
【００４６】
すなわち、邸別データベースを管理するサーバ１０と、各営業所に設置されている端末装置１ａ，１ａ・・・とをネットワークＮを介して接続可能な構成としている。ここで、ネットワークＮは、本システム専用のネットワーク回線を構築してもよく、一般のインターネット回線を利用してもよい。
【００４７】
本実施形態２では、各営業所に設置されている端末装置１ａは、図１に示す構成において、記憶装置４から邸別データベースを削除した以外、図１に示す構成と全く同じである。ただし、ネットワークＮに接続するためのインターフェースやｗｅｂブラウザ等を備えている。
【００４８】
この場合、各端末装置１ａで上記の各処理（建築概算価格の計算処理、及び建物プラン分析処理）を行う場合、必要な全データをサーバ１０の邸別データベースから最初にダウンロードして端末装置１ａ内のメモリ（内部のハードディスク等）に記憶させて処理を実行してもよいし、処理の過程でその都度、ネットワークＮを介してサーバ１０に接続し、必要なデータのみをダウンロードするようにしてもよい。
【図面の簡単な説明】
【００４９】
【図１】本発明の建物プラン分析システムの実施形態１を示す機能ブロック図である。
【図２】表示装置に最初に表示されるプラン分析画面の一例を示す説明図である。
【図３】「外周長比率」を選択したときのプラン分析画面の説明図である。
【図４】「出隅数比率」を選択したときのプラン分析画面の説明図である。
【図５】「サッシ金額比率」を選択したときのプラン分析画面の説明図である。
【図６】「収納面積比率」を選択したときのプラン分析画面の説明図である。
【図７】工事金額のバランス分析処理時に表示されるバランス分析画面の説明図である。
【図８】「躯体工事」を選択したときのバランス分析画面の説明図である。
【図９】「外部工事」を選択したときのバランス分析画面の説明図である。
【図１０】「内部工事」を選択したときのバランス分析画面の説明図である。
【図１１】「設備工事」を選択したときのバランス分析画面の説明図である。
【図１２】本発明の建物プラン分析システムの実施形態２を示す機能ブロック図である。
【図１３】建築費用見積方法により算出した本体工事等の各項目毎の見積金額の従来の表示例を示す説明図である。
【符号の説明】
【００５０】
１  コンピュータ
２  入力装置
３  表示装置
４  記憶装置
５  出力装置
１ａ  端末装置
１０  サーバ
Ｎ  ネットワーク
【図１】
2006039817.tif 000003
【図２】
2006039817.tif 000004
【図３】
2006039817.tif 000005
【図４】
2006039817.tif 000006
【図５】
2006039817.tif 000007
【図６】
2006039817.tif 000008
【図７】
2006039817.tif 000009
【図８】
2006039817.tif 000010
【図９】
2006039817.tif 000011
【図１０】
2006039817.tif 000012
【図１１】
2006039817.tif 000013
【図１２】
2006039817.tif 000014
【図１３】
2006039817.tif 000015